【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
霧状の液体を生成する液体噴射装置であって、
液体入口と、液体計量手段と、ノズルを含む液体出口とを有する本体であって、中心軸を有する断面が略円形の前記本体と、
前記噴射装置の前記本体に供給される液体の加圧源と、を備え、
前記ノズルは、前記中心軸と、内側端部と、外側端部と、２つ以上の液体通路と、を含み、各液体通路は、前記液体の加圧された液体ジェットが出る前記ノズルの外面のジェットオリフィスと流体連通し、各ジェットは、前記噴射装置の外部の共通の焦点に向けられ、前記焦点における前記加圧された液体ジェットの衝突により、前記液体の噴霧された形態を生成し、
前記ジェット間の夾角が３０°と１８０°の間であり、
前記計量手段は、正確かつ制御可能な開始および停止時間で正確な液体流量を提供することを特徴とする液体噴射装置。
【請求項２】
さらに、三つ以上のオリフィスを含む、請求項１に記載の噴射装置。
【請求項３】
さらに、前記噴射装置の中心軸に沿ってジェットを定める少なくとも一つのオリフィスを含む、請求項２に記載の噴射装置。
【請求項４】
前記各液体通路は、前記外側端部に向かって所定の角度で前記中心軸から外側に前記内側端部から延びる第一の通路部と、前記第一の通路部と交差し前記ノズルの前記中心軸と前記外側端部に向かって所定の角度で延びる第二の通路部と、を含み、前記各液体通路は、オリフィスを有する前記外側端部で終端する請求項１に記載の噴射装置。
【請求項５】
任意のオリフィスと衝突点との間の距離が、前記２つの最も遠いオリフィス間の距離の３倍未満である請求項１に記載の噴射装置。
【請求項６】
任意のオリフィスと衝突点との間の距離は、そのオリフィスから放出される前記ジェットの液体長さ未満である請求項１に記載の噴射装置。
【請求項７】
前記液体噴射装置は、内燃エンジン内に液体を噴射する請求項１に記載の噴射装置。
【請求項８】
前記液体に加えられる圧力が、約１００バール〜２５０バールであり、前記液体は、往復式または回転式内燃エンジンの燃焼室内に噴射されるガソリンである請求項１に記載の噴射装置。
【請求項９】
前記液体に加えられる圧力が、約２００バール〜２５００バールであり、前記液体は、往復式圧縮点火内燃エンジンの燃焼室内に噴射されるディーゼルタイプ燃料である請求項１に記載の噴射装置。
【請求項１０】
前記液体噴射装置は、内燃エンジンの吸気マニホルド内に液体を噴射する請求項１に記載の噴射装置。
【請求項１１】
前記液体に加えられる圧力が、約４バール〜約２５０バールであり、前記液体は、内燃エンジンの吸気マニホルド内にポート噴射される請求項１に記載の噴射装置。
【請求項１２】
前記液体噴射装置は、内燃エンジンの排気マニホルド内に液体を噴射する請求項１に記載の噴射装置。
【請求項１３】
前記ノズルは、前記外側端部に形成された凹面または凹状円錐部を含み、前記ジェットオリフィスは、前記凹面または凹状円錐部内にある請求項１に記載の噴射装置。
【請求項１４】
前記ノズルは、前記外側端部に形成された凹面部を含み、前記ジェットオリフィスは、前記凹面部内にあり、前記ジェットオリフィスの中心が、前記ノズルの中心軸に垂直な単一平面上に配列されている請求項１に記載の噴射装置。
【請求項１５】
前記ジェットオリフィスの中心が、前記ノズルの中心軸に対して垂直な２つ以上の平面上に配列されている請求項１に記載の噴射装置。
【請求項１６】
オリフィスが、前記ノズルの中央部に設けられている請求項１に記載の噴射装置。
【請求項１７】
２から３０個のオリフィスを含む請求項１に記載の噴射装置。
【請求項１８】
前記噴射装置は水噴射装置であり、前記液体は水溶液又は水である、あるいは、前記噴射装置は燃料噴射装置であり、前記液体は炭化水素燃料である請求項１に記載の噴射装置。
【請求項１９】
前記計量手段は、ソレノイド制御ピントルまたは圧電制御ピントルである請求項１に記載の噴射装置。
【請求項２０】
オリフィス直径が、約５０ミクロン〜約３０００ミクロンの範囲である請求項１に記載の噴射装置。
【請求項２１】
少なくとも一つのジェット、前記焦点、及び第二のジェットによって定まる角度が、３０°より大きい請求項１に記載の噴射装置。
【請求項２２】
中心軸、内側端部、外側端部、および２つ以上の液体通路を有する円筒形の外形を有し、前記各液体通路は、液体の加圧された液体ジェットが出るノズルの外面のジェットオリフィスと流体連通し、各ジェットは、噴射装置の外部の共通の焦点に向けられ、前記焦点における前記加圧された液体ジェットの衝突により、前記液体の噴霧された形態を生成し、
前記ジェット間の夾角が３０°と１８０°の間であることを特徴とする液体噴射装置用ノズル。
【請求項２３】
上に位置する少なくとも２つの入口オリフィスを有するピントルボール用座と、
上に位置する少なくとも２つの出口オリフィスを有する外面と、
前記入口オリフィスから前記出口オリフィスへ液体を送るための少なくとも２つの通路であって、前記各通路は、外面の縁部から前記入口オリフィスへ延びる第一の線状通路と、前記出口オリフィスから交点へ前記第一の線状通路に沿って延びる第二の線状通路と、前記外面の前記縁で前記第一の線状通路に挿入された栓とを含む、前記少なくとも２つの通路と、を備え、
前記少なくとも２つの通路と、前記少なくとも２つの出口オリフィスの各々は、各通路を通る加圧液体が加圧液体のジェット流を形成するように向いており、各ジェットが、噴射装置の外部の共通の焦点に向けられ、前記焦点における加圧液体ジェットの衝突により、前記液体の噴霧された形態を生成し、
前記ジェット間の夾角が、３０°と１８０°の間であることを特徴とする液体噴射装置用ノズル。
【請求項２４】
前記各ジェットを定める前記出口オリフィスは、前記第二の線状通路の内径よりも小さい直径を有する請求項２２または２３に記載のノズル。
【請求項２５】
前記ノズルは、前記外面に形成された凹面または凹状円錐部を含み、前記少なくとも２つの出口オリフィスは、前記凹面または凹状円錐部内にある請求項２２または２３に記載のノズル。
【請求項２６】
中央出口オリフィスが、前記ノズルの中心軸に設けられている請求項２２または２３に記載のノズル。
【請求項２７】
前記少なくとも２つの出口オリフィスは、約５０μｍ〜約３０００μｍの範囲の直径を有する請求項２２または２３に記載のノズル。
【請求項２８】
霧状の液体を生成する液体噴射装置であって、
液体入口と、液体計量手段と、ノズルを含む液体出口を有する本体と、
前記噴射装置の前記本体に供給される液体の加圧源と、を備え、
前記ノズルは、前記液体の加圧された液体ジェットが出る４つ以上のジェットオリフィスを含み、２つ以上のジェットが、前記噴射装置の外部の共通の焦点に向けられ、２つ以上の共通の焦点があり、前記焦点における前記加圧された液体ジェットの衝突により、前記液体の噴霧された形態を生成し、
同じ焦点に向けられた任意の２つのジェット間の夾角が、３０°と１８０°の間であり、
前記計量手段は、正確かつ制御可能な開始および停止時間で正確な液体流量を提供することを特徴とする液体噴射装置。
【請求項２９】
霧状の液体を生成する液体噴射装置であって、
噴射装置ハウジングと、
外部の液体源に結合されるように構成された液体入口と、
前記液体入口と流体連通するピントル弁であって、前記外部の液体源からの液体流量を調節可能に計測するように構成された前記ピントル弁と、
前記ピントル弁と流体連通し前記噴射装置ハウジングの外面に形成されたそれぞれの傾斜オリフィスで終端する複数の液体通路であって、前記傾斜オリフィスが形成された平面から離れた所定の位置に配置された共通の衝突点へそれぞれの液体ジェットを向けるように寸法決めされると共に傾斜された前記複数の液体通路と、を備え、
前記所定の位置は、前記外面への噴霧液体の衝撃を最小にするように決定された前記外面からの距離に前記液体噴射装置の中心軸に沿って配置され、前記所定の位置は、ｄを傾斜オリフィス直径、Ｃを定数、ＳＭを（ν／σ）×（２ΔＰ×ρ）１／２で定義した係数、νを動粘度、σを表面張力、ΔＰを傾斜オリフィスの圧力降下、ρを流体密度、Ａ０をオリフィス面積、ρＬを流体密度、ρａを空気密度、Ｃｄｃを軸流における気筒の表皮摩擦抵抗係数とするとき、Ｌ ＝ ｄ×Ｃ×ＳＭおよびＬ ＝（Ａ０×ΔＰ）／［σ+Ｋ×ｄ×ΔＰ／ρＬ］、Ｋ ＝（ρａπＣｄｃ／３）を満足する液体長距離の最低未満であることを特徴とする液体噴射装置。
【請求項３０】
噴射装置本体の外面から前記噴射装置本体内に形成された空洞内に配置されたピントル弁座に延びる２つ以上の第一の液体通路を穿孔し、
前記噴射装置本体の前記外面からその非端部領域で前記第一の液体通路と交差するように延びる第二の液体通路であって、前記噴射装置本体の前記外面に形成されたオリフィスを出るジェットを前記噴射装置本体の外部の所定点へ向けてそこで衝突させるように構成された傾いた前記オリフィスで終端する前記第二の液体通路を穿孔し、
前記噴射装置本体の前記外面と前記第二の液体通路との交点との間で前記第一の液体通路を封止することを特徴とする噴霧化噴射装置を製造する方法。
【請求項３１】
噴射装置本体の外面から前記噴射装置本体内に形成された空洞内に配置されたピントル弁座に延びる２つ以上の第一の液体通路を穿孔し、
前記噴射装置本体の前記外面からその非端部領域で前記第一の液体通路と交差するように延びる第二の液体通路であって、前記噴射装置本体の前記外面に形成されたオリフィスを出るジェットを前記噴射装置本体の外部の所定点へ向けてそこで衝突させるように構成された角度で傾いた前記オリフィスで終端する前記第二の液体通路を穿孔し、
前記弁座を前記空洞内に挿入し、
前記第一の液体通路のそれぞれの開口を前記第二の液体通路のそれぞれの開口と整列させ、
前記弁座を前記噴射装置本体に取り付けることを特徴とする噴霧化噴射装置を製造する方法。